【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、前記各周回体が停止した際、前記表示窓から視認できる有効位置に前記絵柄によって形成される特定絵柄の組合せが成立している場合に遊技者に特典を付与するように構成された遊技機において、
遊技機側の原因により遊技不可能状態となったことを検出する不可能状態検出手段と、
前記各駆動手段が前記各周回体の回転を停止させた際における前記複数種の絵柄の位置を把握する停止絵柄位置把握手段と
を備え、
前記駆動制御手段は、
前記各周回体の回転を開始させて第１設定回転速度に至らしめるべく前記各駆動手段を初期駆動制御する初期駆動制御手段と、
前記初期駆動制御手段による初期駆動制御の実行後、前記第１設定回転速度が維持されるよう前記各駆動手段を定速駆動制御する定速駆動制御手段と、
前記初期駆動制御手段による初期駆動制御の実行中に、前記特定絵柄の組合わせに揃えた同期絵柄を形成するよう前記各駆動手段を駆動制御する同期絵柄形成手段と
を備え、
前記同期絵柄形成手段は、
前記停止絵柄位置把握手段の把握結果に基づき、前記各周回体に付された前記特定絵柄の位置関係を把握する位置関係把握手段と、
前記位置関係把握手段の把握結果に基づき、前記各周回体が第２設定回転速度となった際に前記同期絵柄を形成するよう、１の周回体が回転開始した後に他の周回体を回転開始させるまでの待機時間を算出する算出手段と、
前記始動操作手段の操作に基づき、前記周回体を個別に回転開始させて前記第２設定回転速度に至らしめると共に当該第２設定回転速度にて定速回転するよう対応する駆動手段を駆動制御し、且つ１の周回体が回転開始してから前記算出手段により算出された待機時間分だけ遅らせて他の周回体を回転開始させるよう駆動制御する同期駆動制御手段と
を備え、
前記不可能状態検出手段が前記遊技不可能状態を検出した場合、前記遊技不可能状態から遊技可能状態に復帰した後の初回の前記駆動制御手段による駆動制御において、前記同期絵柄形成手段による前記各駆動手段の駆動制御を行わせない同期不許可手段を備えることを特徴とする遊技機。
【請求項２】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、前記各周回体が停止した際、前記表示窓から視認できる有効位置に前記絵柄によって形成される特定絵柄の組合せが成立している場合に遊技者に特典を付与するように構成された遊技機において、
遊技機側の原因により遊技不可能状態となったことを検出する不可能状態検出手段と、
前記各駆動手段が前記各周回体の回転を停止させた際における前記複数種の絵柄の位置を把握する停止絵柄位置把握手段と、
前記停止絵柄位置把握手段による把握結果が正確か否かの整合判定を行う整合判定手段と
を備え、
前記駆動制御手段は、
前記各周回体の回転を開始させて第１設定回転速度に至らしめるべく前記各駆動手段を初期駆動制御する初期駆動制御手段と、
前記初期駆動制御手段による初期駆動制御の実行後、前記第１設定回転速度が維持されるよう前記各駆動手段を定速駆動制御する定速駆動制御手段と、
前記初期駆動制御手段による初期駆動制御の実行中に、前記特定絵柄の組合わせに揃えた同期絵柄を形成するよう前記各駆動手段を駆動制御する同期絵柄形成手段と
を備え、
前記同期絵柄形成手段は、
前記停止絵柄位置把握手段の把握結果に基づき、前記各周回体に付された前記特定絵柄の位置関係を把握する位置関係把握手段と、
前記位置関係把握手段の把握結果に基づき、前記各周回体が前記第１設定回転速度と比して遅い第２設定回転速度となった際に前記同期絵柄を形成するよう、１の周回体が回転開始した後に他の周回体を回転開始させるまでの待機時間を算出する算出手段と、
前記始動操作手段の操作に基づき、前記周回体を個別に回転開始させて前記第２設定回転速度に至らしめると共に当該第２設定回転速度にて定速回転するよう対応する駆動手段を駆動制御し、且つ１の周回体が回転開始してから前記算出手段により算出された待機時間分だけ遅らせて他の周回体を回転開始させるよう駆動制御する同期駆動制御手段と
を備え、
前記不可能状態検出手段が前記遊技不可能状態を検出した場合、前記遊技不可能状態から遊技可能状態に復帰した後の初回の前記駆動制御手段による駆動制御において、前記同期絵柄形成手段による前記各駆動手段の駆動制御を行わせない同期不許可手段を備えることを特徴とする遊技機。
【請求項３】
前記駆動制御手段は、前記同期不許可手段が前記同期絵柄形成手段による前記各駆動手段の駆動制御を行わせない場合、前記初期駆動制御手段により前記各駆動手段を初期駆動制御させることを特徴とする請求項１又は２に記載の遊技機。
【請求項４】
前記同期不許可手段は、前記初期駆動制御手段による駆動制御の開始前に、前記同期絵柄形成手段による駆動制御を不許可とすることを特徴とする請求項１乃至３のいずれかに記載の遊技機。
【請求項５】
遊技機の前面側に開閉可能に支持されると共に前記表示窓を含む前面扉を備え、該前面扉が開放された際には前記各周回体が露出される遊技機であって、前記不可能状態検出手段は、前記前面扉が開放されたことを前記遊技不可能状態として検出することを特徴とする請求項１乃至４のいずれかに記載の遊技機。
【請求項６】
前記不可能状態検出手段は、遊技機に異常が発生したことを前記遊技不可能状態として検出することを特徴とする請求項１乃至５のいずれかに記載の遊技機。
【請求項７】
前記不可能状態検出手段は、遊技機の電源が遮断されたことを前記遊技不可能状態として検出することを特徴とする請求項１乃至６のいずれかに記載の遊技機。
【請求項８】
前記周回体に予め定めた基準部位が起点位置を通過したことを前記周回体毎に検出する起点通過検出手段を備え、前記停止絵柄位置把握手段は、前記起点通過検出手段の検出結果に基づいて、前記複数種の絵柄のうち前記基準部位と対応する位置に付された基準絵柄の前記起点位置に対する相対位置を把握することを特徴とする請求項１乃至７のいずれかに記載の遊技機。
【請求項９】
前記複数種の絵柄のうち予め定めた１の基準絵柄が起点位置を通過したことを前記各周回体毎に検出する起点通過検出手段を備え、前記停止絵柄位置把握手段は、前記起点通過検出手段の検出結果に基づいて前記基準絵柄の前記起点位置に対する相対位置を把握することを特徴とする請求項１乃至７のいずれかに記載の遊技機。